(57)【要約】【課題】本発明は、いろいろな種類のナッツに対応できるよう、２通りの形状のナッツ保持・挟圧部を形成することができるナッツ割り器を提供することを課題とする。【解決手段】中心片と側片の２つの片からなり、中心片には軸受部があり、該軸受部の両端は円形をしており、両端の円形の中心を結ぶように軸移動通路が形成されており、該軸移動通路を側片の軸が移動でき、側片には、軸保持部があり、軸保持部は概ね円形をしており、その円形のハンドルから遠い側の一部が直線で切り取られた形状をしており、中心片の軸移動通路を貫通して軸が側片の2枚の外側挟圧部材の軸保持部の中心に固定してあり、側片の軸が中心片の軸移動通路の1つの端にあるときに中心片の挟圧部と側片の挟圧部で形成されるナッツ保持・挟圧部の形状が側片の軸が中心片の軸移動通路の他の1つの端にあるときに中心片の挟圧部と側片の挟圧部で形成されるナッツ保持・挟圧部の形状と異なる構成とした。【選択図】図１
2017144195.tif 000002
【特許請求の範囲】
【請求項１】
中心片と側片の２つの片からなるナッツ割り器であって、
前記中心片は、挟圧部材とハンドルとからなり、
前記挟圧部材は、板状の中央挟圧部材1枚を同形の板状の外側挟圧部材２枚で挟んで固着してあり、その両側面に挟圧部が形成されてあり、
前記中央挟圧部材には軸受部があり、該軸受部の両端は円形をしており、両端の円形の中心を結ぶように軸移動通路が形成されており、該軸移動通路を前記側片の軸が移動でき、
前記側片は、挟圧部材とハンドルとからなり、
前記挟圧部材は、板状の中央挟圧部材1枚を同形の板状の外側挟圧部材２枚で挟んで固着してあり、その両側面に挟圧部が形成されてあり、
前記外側挟圧部材にはそれぞれ軸保持部があり、該軸保持部は概ね円形をしており、その円形のハンドルから遠い側の一部が直線で切り取られた形状をしており、
前記中心片の軸移動通路を貫通して軸が前記側片の2枚の外側挟圧部材の軸保持部の中心に固定してあり、
前記軸受部の円弧状の部分、前記軸保持部の円弧状の部分、前記中心片の外側挟圧部材の軸保持部接触部及び前記側片の中央挟圧部材の軸受部接触部は半径の長さが同一の円の一部となっており、
前記軸が前記軸移動通路の1つの端にあるときは、側片は自由に回転することができ、前記軸保持部の円弧状の部分が前記軸保持部接触部に接触している間は前記軸は前記軸移動通路の端から動くことはできなく、
側片が中心片に対向する位置にあるときに、側片の軸が中心片の軸移動通路を自由に移動でき、
軸の中心又は軸受部の円形の部分の中心と挟圧部の軸保持部又は軸受部に近い端と挟圧部のハンドルに近い端とが一直線上にあり、
側片の軸が中心片の軸移動通路の1つの端にあるときに中心片の挟圧部と側片の挟圧部で形成されるナッツ保持・挟圧部の形状が側片の軸が中心片の軸移動通路の他の1つの端にあるときに中心片の挟圧部と側片の挟圧部で形成されるナッツ保持・挟圧部の形状と異なる、
ことを特徴とするナッツ割り器。
【発明の詳細な説明】
【技術分野】
【０００１】
この発明は、２通り以上の形状のナッツ保持・挟圧部を形成することができるナッツ割り器に関する。
【背景技術】
【０００２】
従来、２通り以上の形状のナッツ保持・挟圧部を形成することができる概ね図９のナッツ割り器が製造販売されている。
【発明の概要】
【発明が解決しようとする課題】
【０００３】
図９のナッツ割り器でアーモンドのような扁平な殻をもつナッツを割ろうとする場合、ナッツが挟圧部と接する２つの点と２つの軸とで形成される四角形は一意に定まらず、ナッツが回転することがある。
【０００４】
本発明は、軸の回転軸が１つでありながらいろいろな種類のナッツに対応できるよう、２通り以上の形状のナッツ保持・挟圧部を形成することができるナッツ割り器を提供することを課題としている。
【課題を解決するための手段】
【０００５】
上記の課題を解決するために、本発明のナッツ割り器は、中心片と側片の２つの片からなり、中心片は、挟圧部材とハンドルとからなり、前記挟圧部材は、板状の中央挟圧部材1枚を同形の板状の外側挟圧部材２枚で挟んで固着してあり、その両側面に挟圧部が形成されてあり、前記中央挟圧部材には軸受部があり、該軸受部の両端は円形をしており、両端の円形の中心を結ぶように軸移動通路が形成されており、該軸移動通路を側片の軸が移動でき、側片は、挟圧部材とハンドルとからなり、前記挟圧部材は、板状の中央挟圧部材1枚を同形の板状の外側挟圧部材２枚で挟んで固着してあり、その両側面に挟圧部が形成されてあり、前記外側挟圧部材にはそれぞれ軸保持部があり、軸保持部は概ね円形をしており、その円形のハンドルから遠い側の一部が直線で切り取られた形状をしており、中心片の軸移動通路を貫通して軸が側片の2枚の外側挟圧部材の軸保持部の中心に固定してあり、軸受部の円弧状の部分、軸保持部の円弧状の部分、中心片の外側挟圧部材の軸保持部接触部及び側片の中央挟圧部材の軸受部接触部は半径の長さが同一の円の一部となっており、軸が軸移動通路の1つの端にあるときは、側片は自由に回転することができ、軸保持部の円弧状の部分が軸保持部接触部に接触している間は軸は軸移動通路の端から動くことはできなく、側片が中心片に対向する位置にあるときに、側片の軸が中心片の軸移動通路を自由に移動でき、軸の中心又は軸受部の円形の部分の中心と挟圧部の軸保持部又は軸受部に近い端と挟圧部のハンドルに近い端とが一直線上にあり、側片の軸が中心片の軸移動通路の1つの端にあるときに中心片の挟圧部と側片の挟圧部で形成されるナッツ保持・挟圧部の形状が側片の軸が中心片の軸移動通路の他の1つの端にあるときに中心片の挟圧部と側片の挟圧部で形成されるナッツ保持・挟圧部の形状と異なる、ことを特徴としている。
【発明の効果】
【０００６】
本発明によれば、２通りのナッツ保持・挟圧部を形成できるので、殻に突起又は押切刃を当てることができるナッツとそうでないナッツに対応して、中心片に対する側片の位置を変更することにより、適切な形状のナッツ保持・挟圧部を形成してナッツを割ることができる。
【図面の簡単な説明】
【０００７】
【図１】使用状態の本発明のナッツ割り器の平面図である。
【図２】側片を中心片の真横まで回転させた状態の本発明のナッツ割り器の平面図である。
【図３】側片を中心片の反対側まで回転させた状態の本発明のナッツ割り器の平面図である。
【図４】側片の軸が中心片の軸移動通路を移動中の本発明のナッツ割り器の平面図である。
【図５】別の使用状態の本発明のナッツ割り器の平面図である。
【図６】中心片の挟圧部材を構成する３枚の部材を示す平面図である。
【図７】側片の挟圧部材を構成する３枚の部材を示す平面図である。
【図８】ナッツ保持・挟圧部の形状の例を示す平面図である。
【図９】製造販売されているナッツ割り器の平面図である。
【図１０】図９のナッツ割り器の使用中の平面図である。（ａ）の状態で力を加えると、ナッツが回転して（ｂ）の状態になることがある。
【発明を実施するための形態】
【０００８】
発明を実施するための形態は図１から図８までのとおりである。
なお、図１から図７までにおいては、挟圧部４の形状を一部簡略化して記載しているが、挟圧部４の実際の形状は、図８の各図に例示しているナッツ保持・挟圧部４ｏの左側半分若しくは右側半分又はそれらを左右反転したもののいずれかである。
【符号の説明】
【０００９】
１      本発明のナッツ割り器
１ａ    中心片
１ｂ    側片
２ａ    挟圧部材
２ｂ    挟圧部材
２ａｃ  中央挟圧部材
２ｂｃ  中央挟圧部材
２ａｓ  外側挟圧部材
２ｂｓ  外側挟圧部材
３      ハンドル
４      挟圧部
４ａＬ  挟圧部
４ａＲ  挟圧部
４ｂＬ  挟圧部
４ｂＲ  挟圧部
４ｏ    ナッツ保持・挟圧部
５      軸
６      軸保持部
７      軸受部
８      軸移動通路
９      軸保持部接触部
１０    軸受部接触部
１１    突起
１２    押切刃
【図１】
2017144195.tif 000003
【図２】
2017144195.tif 000004
【図３】
2017144195.tif 000005
【図４】
2017144195.tif 000006
【図５】
2017144195.tif 000007
【図６】
2017144195.tif 000008
【図７】
2017144195.tif 000009
【図８】
2017144195.tif 000010
【図９】
2017144195.tif 000011
【図１０】
2017144195.tif 000012